(57)【要約】【課題】トナーの回収を適切に行うこと。【解決手段】トナー回収装置３０は、吸引ダクト３１に接続されると共に、吸引ファン４６とその上流側に設けられるフィルター４７とが収納され、現像器で飛散したトナーを吸引ファン４６によって吸引してフィルター４７に吸着させる回収ボックス４０と、フィルター４７を振動させる振動モーター５１と、吸引ダクト３１の途中のダクト内部に空気を吹き出すエアーアシストファン５５と、振動モーター５１を駆動するときは吸引ファン４６およびエアーアシストファン５５を停止し、エアーアシストファン５５を駆動するときは吸引ファン４６を駆動する制御部６０とを備えている。【選択図】図４
2015087408.tif 000002
【特許請求の範囲】
【請求項１】
一端が現像器の近傍に設けられる吸引ダクトと、
上記吸引ダクトの他端に接続されると共に、吸引ファンと該吸引ファンの上流側に設けられるフィルターとが収納され、上記吸引ダクトを介して上記現像器で飛散した現像剤を上記吸引ファンによって吸引して上記フィルターに吸着させる現像剤の回収ボックスと、
上記フィルターを振動させる振動機構と、
上記吸引ダクトの途中のダクト内部に空気を吹き出す補助ファンと、
上記振動機構を駆動するときは上記吸引ファンおよび上記補助ファンを停止し、上記補助ファンを駆動するときは上記吸引ファンを駆動する制御部とを備えている、現像剤回収装置。
【請求項２】
請求項１に記載の現像剤回収装置において、
上記制御部は、上記吸引ファンおよび補助ファンの両者を駆動させ、該両者を停止した後に、上記振動機構を駆動させる現像剤の回収動作を実行可能に構成され、上記現像器の現像動作中に現像枚数が第１所定値を超えると、該現像器の現像動作の終了後に上記回収動作を実行し、上記現像器の現像動作中に現像枚数が上記第１所定値よりも高い第２所定値を超えると、該現像器の現像動作を中断して上記回収動作を実行するように構成されている、現像剤回収装置。
【請求項３】
請求項１または２に記載の現像剤回収装置を備えている、画像形成装置。
【発明の詳細な説明】
【技術分野】
【０００１】
本発明は、現像剤回収装置およびそれを備えた画像形成装置に関する。
【背景技術】
【０００２】
例えば特許文献１に開示されているように、画像形成装置における現像器で飛散したトナー（現像剤）を吸引して回収する現像剤回収装置が知られている。この現像剤回収装置は、現像器で飛散したトナーを吸引する吸引手段と、吸引されたトナーを吸着するフィルターとを備えている。そして、この現像剤回収装置では、フィルターを振動させる振動手段を備えており、フィルターを振動させてトナーを篩い落とすことでフィルターの目詰まりを抑制するようにしている。
【先行技術文献】
【特許文献】
【０００３】
【特許文献１】特開２００７−２９８７８２号公報
【発明の概要】
【発明が解決しようとする課題】
【０００４】
ところで、上述した現像剤回収装置において、吸引手段の吸引能力が不足する場合、トナー吸引ダクト内に空気を吹き出してトナーの吸引作用を補助するファンを別途設けることが考えられる。その場合、吸引手段、振動手段および補助のファンを何らの配慮もせずに駆動すると、トナー回収を適切に行うことができないという問題がある。例えば、吸引手段の駆動時に振動手段を駆動すると、振動手段によって篩い落とされたトナーが吸引手段に吸い込まれて外部に排出されてしまったり、補助のファンの駆動時に振動手段を駆動すると、振動手段によるトナーの篩い落としが不十分となってしまう。
【０００５】
本発明は、かかる点に鑑みてなされたものであり、その目的は、吸引手段、振動手段および補助のファンを備えた現像剤回収装置において、吸引手段等の駆動態様を工夫して現像剤回収を適切に行うことにある。
【課題を解決するための手段】
【０００６】
本発明に係る現像剤回収装置は、一端が現像器の近傍に設けられる吸引ダクトと、    上記吸引ダクトの他端に接続されると共に、吸引ファンと該吸引ファンの上流側に設けられるフィルターとが収納され、上記吸引ダクトを介して上記現像器で飛散した現像剤を上記吸引ファンによって吸引して上記フィルターに吸着させる現像剤の回収ボックスと、上記フィルターを振動させる振動機構と、上記吸引ダクトの途中のダクト内部に空気を吹き出す補助ファンと、上記振動機構を駆動するときは上記吸引ファンおよび上記補助ファンを停止し、上記補助ファンを駆動するときは上記吸引ファンを駆動する制御部とを備えている。
【０００７】
本発明に係る画像形成装置は、上記の現像剤回収装置を備えている。
【発明の効果】
【０００８】
本発明によれば、振動機構を駆動するときは吸引ファンおよび補助ファンを停止し、補助ファンを駆動するときは吸引ファンを駆動するようにしたため、回収ボックスへの現像剤の回収を適切に行うことができる。
【図面の簡単な説明】
【０００９】
【図１】図１は、画像形成装置の構成を示すブロック図である。
【図２】図２は、トナー回収装置の構成を示す斜視図である。
【図３】図３は、回収ボックスの構成を示す斜視図である。
【図４】図４は、トナー回収装置の駆動系統を示すブロック図である。
【図５】図５は、トナー回収装置および現像器の構成を示す斜視図である。
【図６】図６は、トナー回収装置の構成を示す斜視図である。
【図７】図７は、トナー回収装置の構成を示す正面図である。
【図８】図８は、トナー回収装置の要部を示す正面図である。
【図９】図９は、トナー回収装置の要部を示す斜視図である。
【図１０】図１０は、エアーアシストファン、吸引ファンおよび振動モーターの一駆動態様を示すタイムチャートである。
【図１１】図１１は、エアーアシストファン、吸引ファンおよび振動モーターの一駆動態様を示すタイムチャートである。
【図１２】図１２は、エアーアシストファン、吸引ファンおよび振動モーターの一駆動態様を示すタイムチャートである。
【発明を実施するための形態】
【００１０】
以下、本発明の実施形態を図面に基づいて詳細に説明する。尚、本発明は、以下の実施形態に限定されるものではない。
【００１１】
本実施形態の画像形成装置１は、例えばレーザプリンターや複合機であり、用紙を搬送しながら、端末等（図示省略）から送信される画像データに基づいて用紙に画像を形成するように構成されている。図１に示すように、画像形成装置１は、給紙部２と、画像形成部３と、定着部４と、排紙部５とを備えている。
【００１２】
給紙部２は、用紙を画像形成部３へ供給するカセット給紙部や手差しトレイである。画像形成部３は、現像器１１や感光ドラム１２（感光体）などを備えている。画像形成部３では、光走査装置（図示省略）によって感光ドラム１２に静電潜像が形成され、その静電潜像が現像器１１によって現像されて現像剤の像であるトナー像になる。このトナー像は、給紙部２から供給された用紙に転写される。定着部４は、定着ローラーおよび加圧ローラー（何れも図示省略）を備え、画像形成部３で用紙に転写されたトナー像をその用紙に定着させる。こうして、用紙に画像が形成される。排紙部５は、定着部４から画像形成された用紙が供給される排紙トレイ（図示省略）を有している。
【００１３】
さらに、画像形成装置１は、トナーコンテナー２０とトナー回収装置３０（現像剤回収装置）を備えている。トナーコンテナー２０は、現像器１１に供給する現像剤としてのトナーが収容されている。トナー回収装置３０は、現像器１１で飛散したトナー（現像剤）を吸引して回収するものである。
【００１４】
トナー回収装置３０の構成について図２〜図９を参照しながら説明する。
【００１５】
図２、図５〜図７等に示すように、トナー回収装置３０は、トナーの回収ボックス４０と、該回収ボックス４０に接続される吸引ダクト３１および排気ダクト３５とを備えている。
【００１６】
図３に示すように、回収ボックス４０は、矩形の箱状に形成されたボックス本体４１を備えている。ボックス本体４１の内部は、通路形成部材４４によって略Ｕ字状の通路４５が形成されている。ボックス本体４１には、通路４５の一端に対応する位置に入口４２が形成され、通路４５の他端に対応する位置に出口４３が形成されている。入口４２には吸引ダクト３１が接続され、出口４３には排気ダクト３５が接続されている。吸引ダクト３１の一端は、現像器１１の近傍に位置して、現像器１１で飛散したトナーを吸引可能になっている（図５参照）。
【００１７】
ボックス本体４１には、吸引ファン４６（吸引機構）と、トナーを吸着する２つのフィルター４７，４８が収納されている。吸引ファン４６は、通路４５における出口４３に対応する位置に設けられている。２つのフィルターは、上流フィルター４７と下流フィルター４８であり、通路４５において吸引ファン４６の上流側（即ち、吸引側）に順に設けられている。なお、２つのフィルターのうち上流フィルター４７が本発明に係るフィルターを構成する。
【００１８】
トナー回収装置３０では、吸引ファン４６を駆動することによって、現像器１１で飛散したトナーが空気と共に吸引ダクト３１を通って回収ボックス４０に吸い込まれる。回収ボックス４０では、吸い込まれたトナーが通路４５を流れて上流フィルター４７で吸着される。万一、上流フィルター４７で吸着されずに通過したトナーは、下流フィルター４８で吸着される。一方、回収ボックス４０にトナーと共に吸い込まれた空気は、２つのフィルター４７，４８を順に通過して出口４３から排気ダクト３５に流れる。排気ダクト３５に流れた空気は、最終的には画像形成装置１の外部に排出される。このように、回収ボックス４０は、現像器１１で飛散したトナー（現像器１１周辺のトナー）を吸引ファン４６によって吸引し、フィルター４７，４８に吸着させて回収する。
【００１９】
さらに、トナー回収装置３０は、図４に示すように、上流フィルター４７を振動させる振動モーター５１（振動機構）と、エアーアシストファン５５（補助ファン）と、制御部６０とを備えている。
【００２０】
振動モーター５１は、上流フィルター４７を振動させて、上流フィルター４７に吸着されたトナーを篩い落とすように構成されている。これにより、上流フィルター４７のトナーによる目詰まりが抑制される。
【００２１】
エアーアシストファン５５は、図２や図８、図９等に示すように、吸引ダクト３１の途中のダクト内部に空気を吹き出して、ダクト内部に堆積したトナーを吹出空気によって巻き上げるものである。
【００２２】
具体的に、吸引ダクト３１は、その途中に略直角に曲げられた屈曲部３２，３３を有している。エアーアシストファン５５は、２つの吹出通路５６，５７が設けられている。第１吹出通路５６は、一端がエアーアシストファン５５に接続され、他端が吸引ダクト３１の第１屈曲部３２に接続されている。第２吹出通路５７は、一端が第１吹出通路５６の途中に接続され、他端が吸引ダクト３１の第２屈曲部３３に接続されている。つまり、エアーアシストファン５５は、吹出通路５６，５７を通じて吸引ダクト３１の屈曲部３２，３３に空気を吹き出すように構成されている。
【００２３】
さらに、図８および図９に示すように、エアーアシストファン５５は、吸引ファン４６によるトナーの吸引方向に向かって空気を吹き出すように構成されている。つまり、吹出通路５６，５７は、空気の吹き出し方向がトナーの吸引方向と同じまたは略同じになるように、屈曲部３２，３３に接続されている。
【００２４】
以上のように、エアーアシストファン５５を設けることにより、吸引ダクト３１内に堆積したトナーを巻き上げることができる。そのため、吸引ダクト３１内に堆積したトナーを吸引ファン４６によって容易に吸引することが可能になる。これによって、トナーの回収率が向上する。しかも、吸引ダクト３１においてトナーが堆積しやすい屈曲部３２，３３に空気を吹き出すようにしているため、吸引ダクト３１におけるトナーの堆積を効果的に抑制することが可能である。
【００２５】
さらに、吸引ダクト３１において吸引ファン４６によるトナーの吸引方向に向かって空気を吹き出すようにしているため、堆積したトナーを吹出空気によって巻き上げるだけでなく回収ボックス４０へ向かって流すことができる。つまり、吸引ファン４６による吸引作用を補助することができる。これによって、吸引ダクト３１内に堆積したトナーを吸引ファン４６によってより一層容易に吸引することが可能になる。
〈制御部の制御動作〉
【００２６】
制御部６０の制御動作について図１０〜図１２を参照しながら説明する。制御部６０は、吸引ファン４６、振動モーター５１およびエアーアシストファン５５を駆動制御する。制御部６０は、基本制御として、振動モーター５１を駆動するときは吸引ファン４６およびエアーアシストファン５５を停止する一方、エアーアシストファン５５を駆動するときは吸引ファン４６を駆動するように構成されている。
【００２７】
また、制御部６０は、吸引ファン４６およびエアーアシストファン５５の両者を駆動させ、該両者を停止した後に、振動モーター５１を駆動させるトナーの回収動作を実行可能に構成されている。また、現像器１１の現像動作中（画像形成部３による印字動作中、またはＪＯＢ中ともいう。）に現像枚数（印字枚数）が第１所定値を超えると、現像器１１の現像動作（画像形成部３による印字動作、またはＪＯＢともいう。）の終了後に上記回収動作を実行し、現像器１１の現像動作中に現像枚数が上記第１所定値よりも高い第２所定値を超えると、現像器１１の現像動作を中断して上記回収動作を実行するように構成されている、
【００２８】
具体的には図１０に示すように、制御部６０は、現像器１１の駆動（即ち、画像形成部３による印字動作）と同期して吸引ファン４６を駆動する。そのため、現像器１１の駆動中は現像器１１で飛散したトナーが回収ボックス４０に吸引回収される。そして、現像器１１の駆動中に現像枚数（印字枚数）が第１所定値（例えば、１０００枚）を超えると、現像器１１の停止後（画像形成部３による印字動作の終了後、ＪＯＢ終了後）に、制御部６０は吸引ファン４６を駆動し続けたままエアーアシストファン５５を駆動する。つまり、制御部６０は上記回収動作を実行する。エアーアシストファン５５は所定時間ｔ１（例えば５sec）後に停止され、吸引ファン４６は所定時間ｔ２（例えば１０sec）後に停止される。この吸引ファン４６およびエアーアシストファン５５の駆動中は、現像器１１で飛散したトナーが回収ボックス４０に吸引回収される。また、エアーアシストファン５５を駆動しているため、吸引ダクト３１に堆積したトナーも確実に吸引回収される。
【００２９】
続いて、吸引ファン４６が停止してから所定時間ｔ３（例えば３sec）後に、振動モーター５１が所定時間ｔ４（例えば１０sec）駆動される。これによって、上流フィルター４７に付着したトナーが篩い落とされて、上流フィルター４７の目詰まりが抑制される。そして、振動モーター５１が停止してから所定時間ｔ５（例えば１０sec）後に、現像器１１が駆動される。つまり、現像器１１の新たな現像動作（即ち、次のＪＯＢ）が開始される。このように、現像器１１の現像動作中に現像枚数が第１所定値を超えた場合、その現像動作の終了後に、吸引ファン４６だけでなくエアーアシストファン５５も駆動するので、吸引ダクト３１内のトナーを確実に吸引することができる。
【００３０】
また、現像器１１の駆動中に現像枚数（印字枚数）が第１所定値（例えば、１０００枚）を超えなかった場合は、図１１に示すように、現像器１１の停止後（画像形成部３による印字動作の終了後、ＪＯＢ終了後）に、制御部６０は図１０の場合と同様に吸引ファン４６およびエアーアシストファン５５をそれぞれ所定時間ｔ１，ｔ２駆動するが、両者の停止後に振動モーター５１は駆動させない。これは、現像器１１で飛散したトナーの量が少なく、そのため、上流フィルター４７に付着したトナー量も少ないとして、上流フィルター４７が目詰まりを起こす可能性は低いからである。
【００３１】
また、現像器１１の駆動中に現像枚数（印字枚数）が第１所定値（例えば１０００枚）よりも高い第２所定値（例えば５０００枚）を超えた場合、制御部６０は図１２に示すように回収動作を実行する。具体的に、制御部６０は、現像枚数が第２所定値を超えると、現像器１１の現像動作（即ち、ＪＯＢ）を中断して、吸引ファン４６は駆動し続けたままエアーアシストファン５５を駆動する。そして、エアーアシストファン５５は所定時間ｔ１（例えば５sec）後に停止され、吸引ファン４６は所定時間ｔ２（例えば１０sec）後に停止される。続いて、吸引ファン４６が停止してから所定時間ｔ３（例えば３sec）後に、振動モーター５１が所定時間ｔ４（例えば１０sec）駆動される。そして、振動モーター５１が停止してから所定時間ｔ５（例えば１０sec）後に、現像器１１の現像動作（即ち、ＪＯＢ）が再開される。このように、現像枚数がかなり多くなり現像器１１における飛散トナーの量がかなり多くなると、非常時として、現像動作（ＪＯＢ）が中断されて回収動作が行われる。これにより、飛散トナーによって現像動作が乱れるのを未然に防止することができる。
【００３２】
上記実施形態のトナー回収装置３０によれば、振動モーター５１を駆動するときは吸引ファン４６およびエアーアシストファン５５を停止するため、振動モーター５１によって上流フィルター４７から篩い落とされたトナーが吸引ファン４６に吸引されて外部に排出されることを防止することができる。また、エアーアシストファン５５を駆動するときは吸引ファン４６を駆動するため、吸引ダクト３１においてエアーアシストファン５５の吹出空気により巻き上げられたトナーを確実に回収ボックス４０に吸引することができる。したがって、トナー回収を適切に行うことができる。
【００３３】
また、上記実施形態のトナー回収装置３０によれば、現像器１１の現像動作中に現像枚数が第１所定値を超えると、現像器１１の現像動作の終了後に回収動作を実行し、現像器１１の現像動作中に現像枚数が第１所定値よりも高い第２所定値を超えると、該現像器１１の現像動作を中断して回収動作を実行するようにした。つまり、現像枚数に応じて回収動作を行うタイミングを変更するようにした。これにより、現像器１１の飛散トナーが多くなっても、飛散トナーを確実に吸引回収することができる。そのため、現像器１１の現像動作や画像形成部３の印字動作が飛散トナーによって乱れるのを未然に防止することが可能である。
【産業上の利用可能性】
【００３４】
以上説明したように、本発明は、現像器で飛散した現像剤を吸引して回収する現像剤回収装置およびそれを備えた画像形成装置について有用である。
【符号の説明】
【００３５】
１        画像形成装置
１１      現像器
３０      トナー回収装置（現像剤回収装置）
３１      吸引ダクト
４０      回収ボックス
４６      吸引ファン
４７      上流フィルター（フィルター）
５１      振動モーター（振動機構）
５５      エアーアシストファン（補助ファン）
６０      制御部
【図１】
2015087408.tif 000003
【図２】
2015087408.tif 000004
【図３】
2015087408.tif 000005
【図４】
2015087408.tif 000006
【図５】
2015087408.tif 000007
【図６】
2015087408.tif 000008
【図７】
2015087408.tif 000009
【図８】
2015087408.tif 000010
【図９】
2015087408.tif 000011
【図１０】
2015087408.tif 000012
【図１１】
2015087408.tif 000013
【図１２】
2015087408.tif 000014